(57)【特許請求の範囲】
【請求項１】
頂部および上記頂部の両側に配置された一対の縦部を含むアーチ状の案内部材の内面に沿って、テープを走行させて、テープによるループを形成し、このループを引き締めることにより被結束物を結束する、テープによる結束機において、
上記案内部材の上記頂部の下方に進出してループの頂部の垂れ下がりを防止する第１の位置と、上記第１の位置から退避してループの絞り込みを許容する第２の位置とに変位することのできるテープ受け部材と、
上記テープ受け部材を上記第１の位置および上記第２の位置に移動させる駆動機構と、  上記案内部材の上記縦部に設けられた多孔を通して空気吸引する空気吸引装置と、を備え、
上記テープ受け部材は、ループの頂部におけるテープ走行方向と平行に延びる第１および第２の軸線の回りにそれぞれ揺動可能に支持された第１および第２の揺動側板を含み、  上記テープ受け部材としての各揺動側板が第１の位置にあるときに、各揺動側板が傾斜して各揺動側板の上縁が上記ループの頂部のテープの対応する側縁を下方から受け、
上記テープ受け部材としての各揺動側板が第２の位置にあるときに、各揺動側板が直立状態となってループの絞り込みを許容することを特徴とするテープによる結束機。
【請求項２】
請求項１において、上記第１の軸線を有し上記第１の揺動側板を一体回転可能に連結した第１の軸と、
上記第２の軸線を有し上記第２の揺動側板を一体回転可能に連結した第２の軸と、
上記アーチ状の案内部材を固定したフレームに固定され、上記第１の軸および上記第２の軸をそれぞれ回転可能に支持する第１および第２の支持部材と、を備え、
上記駆動機構は、ロッドを伸縮させるソレノイドと、上記ソレノイドの上記ロッドの伸縮を上記第１の軸および上記第２の軸の揺動に変換する変換機構と、を含むことを特徴とするテープによる結束機。
【請求項３】
請求項２において、上記変換機構は、上記第１の軸および上記第２の軸の一端から径方向に延びるアームと、両アームを上記ソレノイドのロッドに連接する連接部と、を含むことを特徴とするテープによる結束機。
【請求項４】
請求項１から３の何れか１項において、上記案内部材は、上記頂部および各上記縦部を接続する湾曲部を含み、
各揺動側板の上縁の両端は、対応する湾曲部に相似の湾曲形状をなしていることを特徴とするテープによる結束機。
【請求項５】
請求項１から４の何れか１項において、上記空気吸引装置は、各縦部にそれぞれ近接して配置された一対の空気吸引ファンを含むことを特徴とするテープによる結束機。
【発明の詳細な説明】
【技術分野】
【０００１】
本発明はテープによる結束機に関する。
【背景技術】
【０００２】
一般的に、テープによる結束機では、テープによるループを形成した後、ループ内に被結束物を挿入し、次いで、ループを引き絞ることにより、被結束物を結束している。
ループを形成する機構や、ループ内に被結束物を挿入する作業の間、ループの形状を維持しておく機構が種々提案されている。
例えば、テープの先端に形成された小ループを膨らませて大ループを形成するループ形成機構において、膨らまされた大ループの頂部が落下することを防止するために、固定側板と揺動側板とを有する案内部材の上記揺動側板を揺動させて、テープの両側縁を固定側板と揺動側板とで両側方から挟み込み、ループを維持する機構が提案されている（例えば、特許文献１を参照）。
【０００３】
また、溝形をなす一対の案内部材を互いに近づくように進出させた状態で、テープを両案内部材に沿って走行させてループを形成し、次いで被結束物の挿入した後、両案内部材をテープの両側方へ後退させて、ループを引き絞るようにしたループ形成機構が提案されている（例えば特許文献２を参照）。
また、ループ状に配列された複数の吸引搬送ベルトにテープを空気吸引した状態で、吸引搬送ベルトによってテープを搬送してループを形成し、ループ内に被結束物を挿入した後、吸引搬送ベルトを逆転させてループを引き絞るループ形成機構が提案されている（例えば、特許文献３を参照）。
【先行技術文献】
【特許文献】
【０００４】
【特許文献１】特許第３５０２８５６号公報
【特許文献２】特許第３６５５０９１号公報
【特許文献３】特許第３５８５９２６号公報
【発明の概要】
【発明が解決しようとする課題】
【０００５】
特許文献１では、テープの一側縁に側方から斜めに当接する揺動側板と、鉛直な他側の固定側板との間で、テープを挟持するので、テープが変形を起こし易い。また、テープの側縁が揺動側板や固定側板に沿って下方へ滑り落ち易く、ループ保持の確実性に欠けるという問題がある。
特許文献２では、両案内部材の全領域を進退駆動させるので、駆動機構が複雑となり、装置も大型になる。
【０００６】
特許文献３では、ループ状に配列した複数の搬送ベルトを駆動するため、構造が複雑になる。
そこで、本発明の目的は、構造が簡単でループ保持の確実性に優れるテープによる結束機を提供することである。
【課題を解決するための手段】
【０００７】
上記目的を達成するため、請求項１の発明は、頂部（１２）および上記頂部の両側に配置された一対の縦部（１３，１４）を含むアーチ状の案内部材（１１）の内面に沿って、テープ（Ｔ）を走行させて、テープによるループ（Ｌ）を形成し、このループを引き締めることにより被結束物（Ａ）を結束する、テープによる結束機（１）において、上記案内部材の上記頂部の下方に進出してループの頂部（Ｌａ）の垂れ下がりを防止する第１の位置と、上記第１の位置から退避してループの絞り込みを許容する第２の位置とに変位することのできるテープ受け部材（２４，２５）と、上記テープ受け部材を上記第１の位置および上記第２の位置に移動させる駆動機構（２６）と、上記案内部材の上記縦部に設けられた多孔を通して空気吸引する空気吸引装置（２１，２２）と、を備え、上記テープ受け部材は、ループの頂部におけるテープ走行方向と平行に延びる第１および第２の軸線（Ｃ１，Ｃ２）の回りにそれぞれ揺動可能に支持された第１および第２の揺動側板（２４，２５）を含み、上記テープ受け部材としての各揺動側板が第１の位置にあるときに、各揺動側板が傾斜して各揺動側板の上縁（２４ａ，２５ａ）が上記ループの頂部のテープの対応する側縁を下方から受け、上記テープ受け部材としての各揺動側板が第２の位置にあるときに、各揺動側板が直立状態となってループの絞り込みを許容することを特徴とするテープによる結束機を提供する。
【０００８】
請求項２の発明は、請求項１において、請求項１において、上記第１の軸線を有し上記第１の揺動側板を一体回転可能に連結した第１の軸（２７）と、上記第２の軸線を有し上記第２の揺動側板を一体回転可能に連結した第２の軸（２８）と、上記アーチ状の案内部材を固定したフレーム（６）に固定され、上記第１の軸および上記第２の軸をそれぞれ回転可能に支持する第１および第２の支持部材（３３Ａ，３４Ａ，３５Ａ；３３Ｂ，３４Ｂ，３５Ｂ）と、を備え、上記駆動機構は、ロッド（３６）を伸縮させるソレノイド（３７）と、上記ソレノイドの上記ロッドの伸縮を上記第１の軸および上記第２の軸の揺動に変換する変換機構（３８）と、を含むことを特徴とする。
【０００９】
請求項３の発明は、請求項２において、上記変換機構は、上記第１の軸および上記第２の軸の一端（２７ａ，２８ａ）から径方向に延びるアーム（３９，４０）と、両アームを上記ソレノイドのロッドに連接する連接部（４１）と、を含むことを特徴とする。
請求項４の発明は、請求項１から３の何れか１項において、上記案内部材は、上記頂部および各上記縦部を接続する湾曲部（１５，１６）を含み、各揺動側板の上縁の両端は、対応する湾曲部に相似の湾曲形状をなしていることを特徴とする。
【００１０】
請求項５の発明は、請求項１から４の何れか１項において、上記空気吸引装置は、各縦部にそれぞれ近接して配置された一対の空気吸引ファン（２１，２２）を含むことを特徴とする。
なお、上記において、括弧内の英数字は、後述の実施形態における対応構成要素の参照符号を表すものであるが、これらの参照符号により特許請求の範囲を限定する趣旨ではない。
【発明の効果】
【００１１】
仮に、固定された案内部材の全領域に多孔を設けて空気吸引しながら、ループを作るためにテープを案内部材に沿って送って走行させる場合、テープを案内部材に沿わせるためには、強く空気吸引することが必要である一方、強く空気吸引し過ぎると、テープが案内部材に貼り付いてしまい、テープの走行が不可能となる。しかるに、案内部材の頂部と縦部とでは、適正な空気吸引力が異なるので、案内部材の頂部での空気吸引力と縦部での空気吸引力をそれぞれ適正に調整する必要がある。しかも、テープの種類によって、例えば単位面積当たりの重量や、腰の強さ（可撓性）が異なる。また、同じ仕様のテープでも、個体毎に、単位長さ当たりの重量や、腰の強さ（可撓性）にばらつきがある。このように、テープの仕様の相違や、同一仕様内でも一定のばらつきがあるという条件下では、領域毎に適正な空気吸引力を実現することは非常に困難である。
【００１２】
これに対して、請求項１の発明によれば、縦部での空気吸引力の調整のみを行えばよいので、調整が容易である。また、案内部材の頂部に沿って走行するテープの両側縁を、第１の位置に変位している各揺動側板の上縁によって下方から受けるので、テープを両側方から挟み込む特許文献１のようにテープが変形することがなく、したがって、ループの頂部の落下を確実に防止してループ形状を確実に維持することができる。
【００１３】
また、案内部材の頂部に対応して設けられた揺動側板を駆動する構造なので、両側方の案内部材の全領域を進退駆動する特許文献２や、ループ状に配列された吸引搬送ベルトを用いる特許文献３と比較して、構造を格段に簡素化することができる。
請求項２の発明によれば、ソレノイドのロッドの伸縮運動を、変換機構によって、第１の軸および第２の軸の揺動に変換することにより、第１の揺動側板および第２の揺動側板を第１の位置および第２の位置に駆動することができる。
【００１４】
請求項３の発明によれば、第１の軸および第２の軸の一端から径方向に延びるアームが、ソレノイドのロッドに連接されているので、簡単な構造で、第１および第２の軸、すなち第１および第２の揺動側板を一括して、第１の位置または第２の位置に駆動することができる。
請求項４の発明によれば、各揺動側板の両端の上縁が、案内部材の頂部および各縦部間の湾曲部に対して、相似の湾曲形状をなしているので、テープをスムーズに案内することができる。
【００１５】
請求項５の発明によれば、ループを形成するときに、一方の縦部に沿ってテープが上昇するように走行し、他方の縦部に沿ってテープが下降するように走行することになり、各縦部に応じて適正な空気吸引力は若干異なる。これに対して、各縦部に対応して空気吸引ファンを設けたので、各縦部毎に適正な空気吸引力を実現することができる。
【図面の簡単な説明】
【００１６】
【図１】本発明の一実施の形態のテープによる結束機の一部破断概略正面図である。
【図２】テーブルの概略斜視図である。
【図３】図１のIII −III 線に沿う断面図であり、案内枠を示している。
【図４】テープ受け部材としての第１および第２の揺動側板の動作を示す概略断面図であり、（ａ）は両揺動側板が第１の位置にある状態を示し、（ｂ）は両揺動側板が第２の位置にある状態を示している。
【図５】テープ受け部材としのて第１および第２の揺動側板とこれらを駆動する機構の概略構成を示す斜視図であり、両揺動側板が第２の位置にある状態を示している。
【図６】テープ受け部材としのて第１および第２の揺動側板とこれらを駆動する機構の概略構成を示す斜視図であり、テープのループを形成するときに、両揺動側板が第１の位置にある状態を示す案内枠の概略断面図である。
【図７】（ａ）〜（ｅ）は結束工程を順次に示す結束機の要部の模式的正面図である。
【発明を実施するための形態】
【００１７】
本発明の好ましい実施の形態を添付図面を参照しつつ説明する。図１は本発明の一実施の形態としてのテープによる結束機１の要部を示している。図１を参照して、結束機本体２の上面は、被結束物を載置するためのテーブル３で形成されている。図２も参照して、このテーブル３は、テープ通路としての溝４を挟んで前テーブル５Ａと後テーブル５Ｂとに分かれている。溝４の両端部には、テーブル２の上方に配置されるアーチ状の案内枠６の脚部６ａ，６ｂが固定されている。
【００１８】
図１および図１のIII −III 線に沿う断面図である図３を参照して、案内枠６は一対のフランジ７，８と、これらフランジ７，８を連結するウェブ９とを有する断面コ字形形状（いわゆる溝形）をしている。上記一対のフランジ７，８によって案内路１０の前側壁と後側壁が構成されている。
また、図１を参照して、案内枠６の内部には、ループ形成のために走行する熱融着性のテープＴの外面（湾曲外方の面）を案内するアーチ形板からなる案内部材１１が配置されている。この案内部材１１が案内路１０の外周壁を構成している。
【００１９】
テープＴは、図示しないテープルールから巻き出され、ガイドローラ５１を介して、テープ走行用の一対のローラ５２，５３により挟持されている。ローラ５２は大ローラであり、図示しない電動モータにより回転駆動されて、正逆回転する。ローラ５３は、テープＴをローラ５２側に付勢する付勢ローラである。
案内部材１１は、例えば水平な頂部１２と、頂部１２の両側に配置された第１および第２の縦部１３，１４とをを備えている。第１の縦部１３はテープ走行方向の上流側に配置されている。第２の縦部１４はテープ走行方向の下流側に配置されている。
【００２０】
頂部１２と第１の縦部１３との間には、両者１２，１３間を滑らかに接続する第１の湾曲部１５が設けられ、頂部１２と第２の縦部１４との間には、両者１２，１４間を滑らかに接続する第２の湾曲部１６が設けられている。第２の縦部１４は第３の湾曲部１７を介して下案内板１８に接続されている。
第１の縦部１３および第２の縦部には、多数の空気吸引孔１９が形成されている。また、第１の湾曲部１５の下半部、第２の湾曲部１６の下半部および第３の湾曲部１７および下案内板１８にも、多数の空気吸引孔１９が形成されている。                              
【００２１】
案内枠６の両フランジ７，８間において、ウェブ９と案内部材との間の空間が、負圧空間２０とされている。具体的には、第１の縦部１３とこれに対向するウェブ９の部分との間に、第１の空気吸引ファン２１が配置されており、この第１の空気吸引ファン２１は、負圧空間２０内の空気を排気口２１ａを介して機外へ排出する。第１の空気吸引ファン２１は、主に、第１の縦部１３の空気吸引孔１９を介して空気吸引する。
【００２２】
また、第２の縦部１４とこれに対向するウェブ９の部分との間に、第２の空気吸引ファン２２が配置されており、第２の空気吸引ファン２２は、負圧空間２０内の空気を排気口２２ａを介して機外へ排出する。第２の空気吸引ファン２２は、主に、第２の縦部１４の空気吸引孔１９を介して空気吸引する。
また、第３の湾曲部１７に近接して第３の空気吸引ファン２３が配置されており、この第３の空気吸引ファン２３は、負圧空間２０内の空気を排気口２３ａを介して機外へ排出する。第３の空気吸引ファン２３は、主に第３の湾曲部１７の空気吸引孔１９を介して空気吸引する。
【００２３】
本結束機１は、図７（ａ）に示すように、頂部１２および頂部１２の両側に配置された第１および第２の縦部１３，１４を含むアーチ状の案内部材１１の内面に沿って、テープＴを走行させて、テープＴによるループを形成し、このループＴを引き締めることにより被結束物を結束するものである。
模式的断面図である図４（ａ）および（ｂ）に示すように、本実施の形態の主に特徴とするところは、図４（ａ）に示すように、案内部材１１の頂部１２の下方に進出してループの頂部Ｌｔの垂れ下がりを防止する第１の位置と、図４（ｂ）に示すように、第１の位置から退避してループの絞り込みを許容する第２の位置とに変位することのできるテープ受け部材として、ループの頂部ＬｔにおけるテープＴの走行方向（水平方向。図４（ａ），（ｂ）において、紙面とは直交する方向）と平行に延びる第１の軸線Ｃ１および第２の軸線の回りに、それぞれ揺動可能に支持された第１の揺動側板２４および第２の揺動側板２５を含んでいる。
【００２４】
具体的には、テープ受け部材としての各揺動側板２４，２５が第１の位置にあるときに、各揺動側板２４，２５が傾斜して各揺動側板２４，２５の上縁２４ａ，２５ａがループの頂部のテープＴの対応する側縁Ｔａ，Ｔｂを下方から受ける。また、テープ受け部材としての各揺動側板２４，２５が第２の位置にあるときに、各揺動側板２４，２５が直立状態となってループの絞り込みを許容する。
【００２５】
図５に示すように、各揺動側板２４，２５は、概ね船形をなしている。各揺動側板２４，２５の上縁２４ａ，２５の両端は、対応する第１および第２の湾曲部１５，１６に相似の湾曲形状をなしている。各揺動側板２４，２５の下縁２４ｂ，２５ｂの中央部に、下方に突出する矩形部２４ｃ，２５ｃが設けられている。各揺動側板２４，２５が第２の位置に変位したときに、各矩形部２４ｃ，２５ｃは、案内枠６の対応するフランジ７，８に形成された凹部（図示せず）内に進出するようになっている。
【００２６】
テープ受け部材としての各揺動側板２４，２５を上記第１の位置および上記第２の位置に駆動するための駆動機構２６について説明する。
駆動機構２６は、第１の軸線Ｃ１を有し第１の揺動側板２４を一体回転可能に連結した第１の軸２７と、第２の軸線Ｃ２を有し第２の揺動側板２５を一体回転可能に連結した第２の軸２８とを備えている。
【００２７】
揺動側板２４，２５は舟形形状をなしている。第１の揺動側板２４は、第１の軸２７と一体回転する取付具２９に、ねじ３０により取り付けられている。第２の揺動側板２５は、第２の軸２８と一体回転する取付具３１に、ねじ３２により取り付けられている。
第１の軸２７は、案内枠６のフランジ７に固定された複数の第１の支持部材３３Ａ，３４Ａ，３５Ａによって、第１の軸線Ｃ１の回りに回転可能に支持されている。第２の軸２８は、案内枠６のフランジ８に固定された複数の第２の支持部材３３Ｂ，３４Ｂ，３５Ｂによって、第２の軸線Ｃ２の回りに回転可能に支持されている。
【００２８】
また、駆動機構２６は、下方に延びるロッド３６を伸縮可能なソレノイド３７と、ソレノイド３７のロッド３６の伸縮を第１の軸２７および第２の軸２８の揺動に変換する変換機構３８と、付勢部材５０とを備えている。
変換機構３８は、第１の軸２７および第２の軸２８の一端２７ａ，２８ａから径方向に延びるアーム３９，４０と、両アーム３９，４０の先端３９ａ，４０ａをソレノイド３７のロッド３６に連接する連接部としての連接孔４１とを備えている。
【００２９】
連接孔４１は、ロッドの３６の下端にＴ字状に連結された連接体４２に設けられた水平方向に延びる長孔により構成されている。連接体４２の一端は、案内枠６のフランジ７に固定されたガイド部材４３のガイド溝４４に挿通されている。ガイド溝４４は、ロッド３６の伸縮に伴う連接体４２の縦方向の移動を案内する。
付勢部材５０は、連接体４２に設けられた係止部４５と、案内枠６のフランジ７に固定された係止部４６との間に、連接体４２を下方に付勢する例えば引っ張りコイルばねからなる。付勢部材５０の一端５０ａが係止部４５に係止され、付勢部材５０の他端５０ｂが係止部４６に係止されている。
【００３０】
ソレノイド３７の励磁が解除されると、図６に示すように、付勢部材５０によって連接体４２が引き下げられ、これに伴って、アーム３９，４０を介して第１および第２の軸２７，２８が内向きＰ１，Ｑ１に揺動され、第１および第２の揺動側板２４，２５が内向き斜めに傾斜する第１の位置に変位する。これにより、テープＴの両側縁Ｔａ，Ｔｂを、第１の位置に変位している各揺動側板２４，２５の上縁２４ａ，２５ａによって下方から受け、ループ形状を確実に維持することができる。
【００３１】
一方、ソレノイド３７が励磁されると、図５に示すように、ロッド３６によって、付勢部材５０に抗して連接体４２が引き上げられ、これに伴って、アーム３９，４０を介して第１および第２の軸２７，２８が外向きＰ２，Ｑ２に揺動され、第１および第２の揺動側板２４，２５が直立する第２の位置に変位する。これにより、テープのループＬの絞り込みが許容される。
【００３２】
次いで、結束動作について図７（ａ）〜（ｅ）を参照して説明する。まず、図７（ａ）に示すように、ローラ５２を正転させて、頂部１２および頂部１２の両側に配置された第１および第２の縦部１３，１４を含むアーチ状の案内部材１１の内面に沿って、テープＴを走行させ、テープＴによるループを形成する。このとき、テープ受け部材としての第１および第２の揺動側板２４，２５は、図４（ａ）に示すような第１の位置にあり、ループＬの頂部Ｌｔの垂れ下がりを防止する。
【００３３】
次いで、図７（ｂ）に示すように、テープＴの先端部が、受け板５４の下面と、進出した第１クランプ部材５５との間に挟持され止定された後、受け板５４の上面に、被結束物Ａが載置される。
次いで、テープ受け部材としての第１および第２の揺動側板２４，２５が第２の位置に退避した後〔図４（ｂ）参照〕、図７（ｃ）に示すように、ローラ５２を逆転させて、ループＬを絞り込んでいく。受け板５４上に被結束物Ａが載置されたことを検知するには、通過溝４内に光センサ等の検知手段を設けておいても良いし、また、ユーザーが載置後に載置完了のスイッチを押すようにし、このスイッチの押下に伴って、ループＬの絞り込みを開始するようにしても良い。
【００３４】
次いで、図７（ｄ）に示すように、ループ径の縮小に伴って、テープＴが被結束物Ａの周囲を密な状態で取り囲んだ後、テープＴの先端部およびテープＴの巻き終わり部を重合させて受け板５４の下面と第２クランプ部材５６との間にクランプする。
次いで、図７（ｅ）に示すように、図示しないカッタ付の加熱押圧部がテープＴの重合部分Ｔ１を受け板５４の下面に押圧しながら加熱して重合部分を熱融着させると共に、上記カッタによって、テープＴを切断し、その後、受け板５４が退避して、結束が完了する。
【００３５】
本実施の形態によれば、下記の作用効果を奏することができる。すなわち、仮に、固定された案内部材の全領域に多孔を設けて空気吸引しながら、ループを作るためにテープを案内部材に沿って送って走行させる場合、テープを案内部材に沿わせるためには、強く空気吸引することが必要である一方、強く空気吸引し過ぎると、テープが案内部材に貼り付いてしまい、テープの走行が不可能となる。しかるに、案内部材の頂部と縦部とでは、適正な空気吸引力が異なるので、案内部材の頂部での空気吸引力と縦部での空気吸引力をそれぞれ適正に調整する必要がある。しかも、テープの種類によって、例えば単位面積当たりの重量や、腰の強さ（可撓性）が異なる。また、同じ仕様のテープでも、個体毎に、単位長さ当たりの重量や、腰の強さ（可撓性）にばらつきがある。このように、テープの仕様の相違や、同一仕様内でも一定のばらつきがあるという条件下では、領域毎に適正な空気吸引力を実現することは非常に困難である。
【００３６】
これに対して、本実施の形態によれば、縦部１３，１４での空気吸引力の調整のみを行えばよいので、調整が容易である。また、案内部材１１の頂部１２に沿って走行するテープＴの両側縁Ｔａ，Ｔｂを、第１の位置に変位している各揺動側板２４，２５の上縁２４ａ，２５ａによって下方から受けるので、テープを両側方から挟み込む特許文献１のようにテープが変形することがなく、したがって、ループの頂部Ｌｔの落下を確実に防止してループ形状を確実に維持することができる。
【００３７】
また、案内部材１１の頂部１２に対応して設けられた揺動側板２４，２５を駆動する構造なので、両側方の案内部材の全領域を進退駆動する特許文献２や、ループ状に配列された吸引搬送ベルトを用いる特許文献３と比較して、構造を格段に簡素化することができる。
また、ソレノイド３７のロッド３６の伸縮運動を、変換機構３８によって、第１の軸２７および第２の軸２８の揺動に変換することにより、第１の揺動側板２４および第２の揺動側板２５を第１の位置〔図４（ａ）参照〕および第２の位置〔図４（ｂ）参照〕に容易に駆動することができる。
【００３８】
また、第１の軸２７および第２の軸２８の一端２７ａ，２８ａから径方向に延びるアーム３９，４０が、ソレノイド３７のロッド３６に連接体４２の連結孔４１を介して連接されているので、簡単な構造で、第１の軸２７および第２の軸２８、すなち第１の揺動側板２４および第２の揺動側板２５を一括して、第１の位置または第２の位置に駆動することができる。
【００３９】
また、各揺動側板２４，２５の両端の上縁２４ａ，２５ａが、案内部材１１の頂部１２および各縦部１３，１４間の湾曲部１５，１６とは相似の湾曲形状をなしているので、テープＴをスムーズに案内することができる。
また、ループを形成するときに、第１の縦部１３に沿ってテープＴが上昇するように走行し、第２の端部１４に沿ってテープＴが下降するように走行することになり、各縦部１３，１４に応じて適正な空気吸引力は若干異なる。これに対して、各縦部１３，１４の空気吸引孔１９を介する空気吸引力を概ね個別に調整可能な空気吸引ファン２１，２２を設けたので、各縦部１３，１４毎に適正な空気吸引力を実現することができる。
【００４０】
本発明は上記実施の形態に限定されるものではなく、例えば変換機構として、第１の軸２７の一端に一体回転に設けられた第１ピニオンと、第２の軸の一端に一体回転可能に設けられた第２ピニオンと、第１ピニオンおよび第２ピニオンに噛み合いソレノイド３７のロッド３６と同行移動可能な両面ラックとを用いてもよい。その他、本発明の請求項記載の範囲内で種々の変更を施すことができる。
【符号の説明】
【００４１】
１…結束機、２…結束機本体、３…テーブル、４…溝、５…後テーブル、６…案内枠、７，８…フランジ、９…ウェブ、１０…案内路、１１…案内部材、１２…頂部、１３…第１の縦部、１４…第２の縦部、１５…第１の湾曲部、１６…第２の湾曲部、１７…第３の湾曲部、１８…下案内板、１９…空気吸引口、２０…負圧空間、２１…第１の空気吸引ファン、２２…第２の空気吸引ファン、２３…第３の空気吸引ファン、２４…第１の揺動側板、２４ａ…上縁、２５…第２の揺動側板、２５ａ…上縁、２６…駆動機構、２７…第１の軸、２７ａ…一端、２８…第２の軸、２８ａ…一端、２９…取付具、３０…ねじ、３１…取付具、３２…ねじ、３３Ａ，３４Ａ，３５Ａ…第１の支持部材、３３Ｂ，３４Ｂ，３５Ｂ…第２の支持部材、３６…ロッド、３７…ソレノイド、３８…変換機構、３９，４０…アーム、４１…連接孔（連接部）、４２…連接体、４３…ガイド部材、４４…ガイド溝、４５，４６…係止部、５０…付勢部材、Ｃ１…第１の軸線、Ｃ２…第２の軸線
【図１】
0005591062.tif 000002
【図２】
0005591062.tif 000003
【図３】
0005591062.tif 000004
【図４】
0005591062.tif 000005
【図５】
0005591062.tif 000006
【図６】
0005591062.tif 000007
【図７】
0005591062.tif 000008